(57)【要約】本発明は、対象物（３）の表面処理装置（１）に関し、処理工程を実施する所定数の処理ステーション（Ｂ１〜Ｂ８）と、処理動作を行う搬送装置とを含んでいる。対象物は、この搬送装置によって、処理ステーションの所望の定位置に搬送される。装置（１）は、被処理対象物（３）の処理動作と相関関係にあり、かつ、各処理ステーション（Ｂ１〜Ｂ８）に対してセントラルコンピュータ（７）を介して各処理工程を制御するクロックパルスをあらかじめ設定することによって、搬送装置の処理動作および処理ステーションの処理工程を同調させるセントラルコンピュータ（７）をさらに含んでいる。
2005531428.tif 000002
【特許請求の範囲】
【請求項１】
処理工程を実施する所定数の処理ステーション（Ｂ１〜Ｂ８）と、処理動作を実行する搬送装置とを含み、前記搬送装置によって前記対象物が前記処理ステーション（Ｂ１〜Ｂ８）の所望の定位置に運搬される、対象物の表面処理装置であって、前記被処理対象物（３）の前記処理動作と相関関係にあり、かつ、各処理ステーション（Ｂ１〜Ｂ８）に対してセントラルコンピュータ（７）を介して前記各処理工程を制御するクロックパルスをあらかじめ設定することによって、前記搬送装置の前記処理動作および前記処理ステーションの前記処理工程を同調させるセントラルコンピュータ（７）を有することを特徴とする対象物の表面処理装置。
【請求項２】
所定数の前記処理ステーション（Ｂ１〜Ｂ８）が、それぞれ１つの印刷装置によって構成されたことを特徴とする請求項１に記載の対象物の表面処理装置。
【請求項３】
前記印刷装置の少なくとも１つがインクジェット印刷ヘッド（６）を含むことを特徴とする請求項２に記載の対象物の表面処理装置。
【請求項４】
前記印刷装置の少なくとも１つが印刷ローラ（５）を含むことを特徴とする請求項２または３に記載の対象物の表面処理装置。
【請求項５】
前記処理ステーション（Ｂ１〜Ｂ８）の少なくとも１つが検査装置によって構成されたことを特徴とする請求項１〜４のいずれか１項に記載の対象物の表面処理装置。
【請求項６】
回転対称な対象物（３）がそれとともに処理されることを特徴とする請求項１〜５のいずれか１項に記載の対象物の表面処理装置。
【請求項７】
前記回転対称な対象物（３）が飲料用缶、カップまたは飲料用を含むことを特徴とする請求項６に記載の対象物の表面処理装置。
【請求項８】
前記搬送装置が回転式循環装置（２）を含み、前記回転対称な対象物（３）がその円周方向に配置されて、駆動手段によって回転されるように構成されたことを特徴とする請求項６または７に記載の対象物の表面処理装置。
【請求項９】
前記回転対称な対象物（３）が、それぞれ、その回転軸に対して回転可能であることを特徴とする請求項８に記載の対象物の表面処理装置。
【請求項１０】
開始信号がセントラルコンピュータ（７）で発生して、前記処理ステーションの前記処理工程が個別に開始されることを特徴とする請求項１〜９のいずれか１項に記載の対象物の表面処理装置。
【請求項１１】
前記クロックパルスが処理ステーション（Ｂ１〜Ｂ８）に伝送される時間をあらかじめ決定することによって、前記処理ステーションに対する処理時間が前記セントラルコンピュータ（７）であらかじめ定義されることを特徴とする請求項１〜１０のいずれか１項に記載の対象物の表面処理装置。
【請求項１２】
前記対象物（３）の回転状況を検出するために、インクリメンタルエンコーダがそれぞれ設けられたことを特徴とする請求項８〜１１のいずれか１項に記載の対象物の表面処理装置。
【請求項１３】
前記インクリメンタルエンコーダ（１３）の信号に基づいて回転させる前記駆動手段が位相制御されることを特徴とする請求項１２に記載の対象物の表面処理装置。
【請求項１４】
クロックパルスとして定義されるリード周波数が前記セントラルコンピュータ（７）であらかじめ設定されることを特徴とする請求項１〜１３のいずれか１項に記載の対象物の表面処理装置。
【請求項１５】
前記リード周波数が前記セントラルコンピュータ（７）で調整されることを特徴とする請求項１４に記載の対象物の表面処理装置。
【請求項１６】
前記駆動手段によって発生した前記対象物（３）の回転と、前記処理工程を制御する前記処理ステーション（Ｂ１〜Ｂ８）とを同調させるために、前記リード周波数がコンピュータユニット（９）に伝送されることを特徴とする請求項１４または１５に記載の対象物の表面処理装置。
【請求項１７】
前記コンピュータユニット（９）が固定配置されたことを特徴とする請求項１６に記載の対象物の表面処理装置。
【請求項１８】
前記コンピュータユニット（９）が前記回転式循環装置（２）上に配置されたことを特徴とする請求項１６に記載の対象物の表面処理装置。
【請求項１９】
前記リード周波数および前記インクリメンタルエンコーダ（１３）の前記信号が前記各駆動手段の位相制御のための入力量を構成することを特徴とする請求項１６〜１８のいずれか１項に記載の対象物の表面処理装置。
【請求項２０】
前記リード周波数が前記処理ステーション（Ｂ１〜Ｂ８）の作動周波数に適合されたことを特徴とする請求項１６〜１９のいずれか１項に記載の対象物の表面処理装置。
【請求項２１】
前記リード周波数がインクジェット印刷ヘッド（６）のインクジェット飛沫の作動周波数を構成している出力周波数に適合されたことを特徴とする請求項２０に記載の対象物の表面処理装置。
【請求項２２】
各処理ステーションに対して前記各処理工程を制御する個別のクロックパルスが前記セントラルコンピュータ（７）で発生し、前記クロックパルスは検知された循環的また現在の位相値および被処理対象物（３）における処理作動の位相値の検知時間に由来することを特徴とする請求項１〜１３のいずれか１項に記載の対象物の表面処理装置。
【請求項２３】
前記インクリメンタルエンコーダ（１３）で検知された前記対象物（３）の位相値の検知時間だけでなく前記位相値も評価装置（１５）で一連のデータとして検知され、それに一連のデータとして蓄積されることを特徴とする請求項２２に記載の対象物の表面処理装置。
【請求項２４】
前記処理ステーション（Ｂ１〜Ｂ８）に対する前記クロックパルスは、インクリメンタルエンコーダ（１３）の増加に続く一連の計数パルスとして構成され、前記計数パルスは前記評価装置（１５）に蓄積された一連のデータに由来することを特徴とする請求項２３に記載の対象物の表面処理装置。
【請求項２５】
前記計数パルスは、各処理ステーション（Ｂ１〜Ｂ８）を制御する周波数発生器（１６）で、それぞれ発生することを特徴とする請求項２４に記載の対象物の表面処理装置。
【請求項２６】
前記周波数発生器（１６）で発生した前記出力信号は、前記セントラルコンピュータ（７）に、再度、読み込まれることを特徴とする請求項２５に記載の対象物の表面処理装置。
【請求項２７】
前記計数パルスを発生するための制御ループは前記セントラルコンピュータ（７）に配置され、前記周波数発生器（１６）の再度読み込まれた前記出力信号が前記制御ループの瞬間値を構成することを特徴とする請求項２６に記載の対象物の表面処理装置。
【請求項２８】
前記個別の計数パルスの間隔が、前記セントラルコントローラ（７）の循環時間よりも短いことを特徴とする請求項２４〜２７のいずれか１項に記載の対象物の表面処理装置。
【発明の詳細な説明】
【発明の詳細な説明】
【０００１】
本発明は、請求の範囲１の前提部分に記載された装置に関するものである。
【０００２】
このような装置は、一般的に、光沢処理、エンボス加工、表面仕上げ処理、レーザ加工処理等の対象物の表面処理に使用することができる。
【０００３】
とくに、このような装置は対象物に印刷することに使用することができる。搬送装置は、一般に、適切な並進動作および／または回転動作によって、対象物をそれぞれの処理ステーションに提供するように、構成されていている。
【０００４】
飲料用缶のような回転対称な対象物に印刷する際には、それらは、回転式循環装置上に配置され、この装置とともに処理ステーションに供給される。このようにして処理ステーションに搬送された飲料用缶を各処理ステーションの所望の位置に配置させるために、飲料用缶は回転可動支持体上に置かれる。この支持体は、駆動手段に接続され、それによって、飲料用缶は長手方向軸を中心として回転される。
【０００５】
飲料用缶の回転位置を検知するために、インクリメンタルエンコーダが支持体に設置される。インクリメンタルエンコーダで発生した信号は処理ステーションに伝送され、その結果、この信号に基づいてかかる処理ステーションが制御される。
【０００６】
一方で、インクリメンタルエンコーダの信号は回転式循環装置とともに回転する支持体から固定された各処理ステーションに伝送される必要があるので、この信号の伝送には不必要で多大な労力を要するという問題点がある。
【０００７】
さらに、伝送経路に起因して、インクリメンタルエンコーダの信号が遅れて処理ステーションに読み込まれ、また変動しやすいという深刻な問題点がある。
【０００８】
したがって、各処理ステーションで処理工程を実施する際に、望ましくない誤差が生じる。すなわち、この誤差によって対象物の表面処理の品質が満足できないものとなる。
【０００９】
本発明の目的は、冒頭に記載した種類の装置であって、対象物の表面処理の再現性に優れた装置を提供することにある。
【００１０】
請求項１の特徴はこの目的を解決するために提供されるものである。従属請求項には、さらに本発明の好ましい実施態様および改良点が記載されている。
【００１１】
本発明にかかる、対象物の表面を処理するための装置は、処理工程を実施する所定数の処理ステーションと、処理動作を実行する搬送装置とを含んでおり、この搬送装置によって、対象物が処理ステーションの所望の定位置に搬送される。セントラルコンピュータにおいて、搬送装置の処理動作および処理ステーションの処理工程は、被処理対象物の処理動作と相関関係にあり、かつ、各処理ステーションに対してセントラルコンピュータを介して各処理工程を制御するクロックパルスをあらかじめ設定することによって、同調される。
【００１２】
したがって、本発明の基本的思想は、セントラルコンピュータを介して、処理ステーションと搬送装置の処理動作を同調させることにある。したがって、単に、処理ステーションと搬送装置との間に情報を伝送させる労力が低減されるだけではない。それどころか、セントラルコンピュータでクロックパルスを主としてあらかじめ設定することによって、処理ステーションの的確な稼動もまた可能になる。異なる位相値の伝送時間に起因して生じる誤差は大幅に解消される。さらに、適切な始動信号を発生させ、クロックパルスがセントラルコンピュータを介して処理ステーションに伝送される時間をあらかじめ決定することによって、前記処理ステーションで実施される処理工程の始動と処理時間が正確に決定される。
【００１３】
本発明の装置は、一般的に、種々の表面処理を行うために使用されてもよい。
【００１４】
とくに、本発明の装置は、回転式循環装置上の処理ステーションに提供され、そして、それらの対称軸を中心として回転される回転対称な対象物に印刷するのに好ましく用いられる。
【００１５】
本発明のとくに好ましい実施態様においては、リード周波数がクロックパルスとしてセントラルコンピュータで発生し、これによって、処理ステーションはもとより搬送装置、とくに回転式循環装置上の対象物を回転させるための駆動手段も稼動される。このリード周波数をあらかじめ設定することによって、きわめて容易かつ正確に、処理ステーションと搬送装置の構成要素との同調が達成される。
【００１６】
本発明のさらに好ましい実施態様においては、各処理ステーションに対して個別のクロックパルスがセントラルコンピュータで発生する。このクロックパルスは、検知された現位相値および被処理対象物の供給ラインにおける検知時間に由来する。
【００１７】
回転式循環装置として構成された搬送手段の場合には、回転式循環装置上を回転している回転対称な対象物の現在の回転位置は、インクリメンタルエンコーダによって、位相値として検知される。しかしながら、インクリメンタルエンコーダで発生した信号は、処理ステーションを制御するために、処理ステーションに直接伝送されるわけではない。それどころか、位相値および位相値の検知時間から、各処理ステーションに対するクロックパルスが、それぞれ、セントラルコンピュータ内で発生する。とくに、このようにして発生したクロックパルスは、被処理対象物の回転変動を考慮するので、クロックパルスによって、処理ステーションの正確な起動が可能になる。
【００１８】
さらに、回転式循環装置の動作変動および位置決めエラーは補正可能である。加えて、回転式循環装置の製造公差も補正可能である。
【００１９】
位置決めエラーおよび製造公差は、それぞれのクロックパルスに対する始動信号をあらかじめ適切に設定することによって、補正可能である。対象物を処理している間、回転式循環装置の動作変動は、クロックパルス自体をあらかじめ適切に設定することによって、補正可能である。
【００２０】
調整工程において、このような製造公差を検知し、セントラルコンピュータ内で発生したクロックパルスを可能な限り最適化して、製造公差を解消することが、とくに好ましい。
【００２１】
回転式循環装置として構成された搬送装置、および、印刷機として構成された処理ステーションの場合には、調整工程は次の通り実施されてもよい。
【００２２】
回転対称な基準対象物は、回転式循環装置の回転可能支持体上の各印刷機に供給される。したがって、すべての基準対象物はすべての印刷機に供給され、適切な基準となる線状パターンが各基準対象物に印刷される。続いて、回転式循環装置の製造公差、とくに回転式循環装置の回転動作に関する製造公差は、印刷された基準線状パターンを分析することによって、達成される。最も簡単な場合には、回転対称な基準対象物を切開する方法で、分析される。したがって、この基準対象物の表面領域が平らな平面状に大きく広がるので、印刷された基準線状パターンを顕微鏡で評価することができる。
【００２３】
とくに、クロックパルスは、セントラルコントローラの制御命令に基づいて、処理ステーションを稼動させるために、周波数発生器で発生した一連の計数パルスとして構成されてもよい。
【００２４】
周波数発生器の出力信号は、セントラルコントローラに、再度読み込まれてもよい。その中で、出力信号は、各処理ステーションに対する計数パルスを発生するための制御ループの入力量を構成する。このように、循環変動および周波数発生器で発生した出力信号の基本要素誘発変動は、セントラルコントローラによって、補正可能である。
【００２５】
以下に、本発明を、図面を参照して、説明する。
【００２６】
図１に、対象物３の表面を処理するための装置１の一実施態様の構造を概略的に示す。装置１は搬送装置を含み、それによって、対象物３が異なる処理ステーションＢ１〜Ｂ８に供給される。
【００２７】
本実施態様において、搬送装置は回転式循環装置２として構成されており、それには、合計８個の被処理対象物３が円周方向に等間隔で配置されている。回転式循環装置２に配置された対象物３の数に応じて、合計８個の処理ステーションＢ１〜Ｂ８が設けられ、回転式循環装置２の円周方向に配置されている。搬送装置の駆動手段（図示しない）によって、回転式循環装置２が角ピッチΔαが４５度おきに回転し、対象物３のすべてが回転式循環装置２上に配置されたそれぞれの次の処理ステーションに同時に搬送される。
【００２８】
本実施態様において、被処理対象物３は回転対称に構成され、たとえば、飲料用缶、カップ、飲料用を含んでいてもよい。回転対称な対象物３は、それぞれ、回転可動支持体４に固定されている。この支持体４は、図１に図示されていない駆動手段によって駆動され、その結果、対象物３は、それぞれ、その対称軸を中心として回転する。駆動手段は、それぞれの支持体４に強固に接続され、回転式循環装置２の回転とともに回転する。
【００２９】
本実施態様において、装置１は回転式循環装置２に搬送された対象物３に印刷する機能を有する。処理ステーションのうちの１つの処理ステーションＢ１は載荷ステーションとして構成されており、それによって、対象物３が回転式循環装置２に載置される。さらに、処理ステーションのうちの１つの処理ステーションＢ８は除荷ステーションとして構成されており、それによって、処理された対象物３が回転式循環装置２から取り除かれる。
【００３０】
回転式循環装置２の搬送方向に、載荷ステーションの次に位置する処理ステーションＢ２は第一の検査装置で構成されており、それによって、被処理対象物３の前検査が行われる。検査手段が画像処理システムとして構成されることがとくに好ましい。
【００３１】
回転式循環装置２の搬送方向に、印刷ステーションＢ３〜Ｂ６として構成された４つの処理ステーションが検査装置に続いて配置されている。第一の印刷装置Ｂ３は、たとえば、シルクスクリーン、オフセット印刷、フレキソ印刷または凹版印刷方法などの接触印刷法による印刷が行われ、この目的ため、第一の印刷装置Ｂ３は分割式印刷ローラ５を含んでおり、それによって、対象物３の表面に画像が印刷される。
【００３２】
これに続く３つの印刷装置Ｂ４〜Ｂ６は非接触印刷法による印刷が行われる。これらの印刷装置は、それぞれ、別途図示されていない１つのインクジェット印刷ヘッド６を含んでいる。これらの印刷装置によって、異なる色の画像パターンが対象物３の表面に印刷されることが好ましい。原理上は、印刷装置Ｂ４〜Ｂ６としてレーザ加工機などが用いられてもよい。
【００３３】
最後に、印刷処理された対象物３を管理するための検査装置が除荷ステーションの前に最後の処理ステーションＢ７として配置されている。この検査装置は画像処理システムとして構成されることが好ましい。
【００３４】
一般的に、装置１は、回転式循環台上の処理ステーションＢ１〜Ｂ８の構成、数および配置を変更して、設計されてもよい。したがって、直線型搬送装置のような他の搬送手段が回転式循環装置２に代えて装備されていてもよい。
【００３５】
図２は、図１に示した装置１を制御するための構成要素の第一構成例を示すものである。対象物３を回転させる駆動手段、および、処理工程を実施するための処理ステーションＢ１〜Ｂ８、すなわち、本構成例においては、印刷装置と検査装置とは、セントラルコントローラ７によって制御される。セントラルコントローラは図示されていないマイクロプロセッサシステムを含んでいる。さらに、セントラルコントローラは、装置１に備えられた各構成要素に接続する入出力端子として図示されていない接続部をも含んでいる。最後に、セントラルコントローラ７は、発振器（図示されていない）を含み、それによって、リード周波数が発生する。このリード周波数は媒介変数化されることが好ましい。周波数分割によってリード周波数を変化させることがとくに好ましい。
【００３６】
セントラルコントローラ７で発生したリード周波数は駆動手段と処理ステーションＢ１〜Ｂ８に出力され、これらが同調させられる。このように、処理ステーションＢ１〜Ｂ８と駆動手段とを同調させることは必要なことであり、その結果、対象物３をそれぞれの処理ステーションＢ１〜Ｂ８における所定の回転位置に正確に配置させることが可能になり、それぞれの処理工程が処理ステーションＢ１〜Ｂ８で実施される。
【００３７】
図２から明らかなように、セントラルコントローラ７は第一の接続手段８を介してコンピュータユニット９に接続されており、このコンピュータユニットは回転式循環装置２上に配置された対象物３の回転を制御する機能を果たす。コンピュータユニット９はセントラルコントローラ７と同様にマイクロプロセッサシステムおよび一連の入出力端子を含んでいる。
【００３８】
対象物３を固定する各支持体４の現在の回転位置を検知するためのインクリメンタルエンコーダ１３だけでなく、それぞれが増幅器１１とモータ１２とから構成された、対象物３を回転させるための駆動手段も、第二の接続手段１０ａおよび１０ｂを介してコンピュータユニット９に接続されている。
【００３９】
最後に、処理ステーションＢ１〜Ｂ８は、第三の接続手段１４を介してコンピュータユニット９に接続されている。
【００４０】
第一の好ましい実施態様においては、コンピュータユニット９は、回転式循環装置２上に配置され、それとともに移動する。この場合には、駆動手段およびインクリメンタルエンコーダ１３もまた回転式循環装置２とともに移動するので、コンピュータユニット９を駆動手段およびインクリメンタルエンコーダ１３に接続するための第二の接続手段１０ａおよび１０ｂはケーブルによって構成されていてもよい。
【００４１】
これに対して、データの非接触伝送は、第一の接続手段８を介して、固定配置されたセントラルコントローラ７とコンピュータユニット９との間で、行われる。この場合には、第一の接続手段８は、スリップリング、光学データリンクなどによって構成されていてもよい。
【００４２】
第二の実施態様においては、コンピュータユニット９は固定配置される。この場合には、第二の接続手段１０ａおよび１０ｂは非接触データ伝送のためのデータリンクを形成するが、第一の接続手段８はケーブルによって構成されていてもよい。
【００４３】
対象物３を回転させるための駆動手段は、それぞれ、リード周波数に基づいて制御され、または、調整される。このために、原理上は、駆動手段は適切なステッピングモータを含んでいてもよい。駆動手段の位相制御は、各インクリメンタルエンコーダ１３で発生した信号に基づいて行われることがとくに好ましい。
【００４４】
処理ステーションＢ１〜Ｂ８と駆動手段を同調させるために、処理ステーションＢ１〜Ｂ８での処理工程もまたリード周波数をあらかじめ設定することによって制御される。開始信号が被処理対象物３の検知回転位置に基づいて算出され、次いで、各処理ステーションＢ１〜Ｂ８に出力されて処理工程が開始される。さらに、処理工程の処理時間は、各処理ステーションＢ１〜Ｂ８に、リード周波数をそれぞれの時間のみに対応させて入力することで、セントラルコントローラ７によって、あらかじめ決定される。
【００４５】
検査装置として構成された処理ステーションＢ１〜Ｂ８において、対象物３への検査処理は、リード周波数をあらかじめ設定することによって、制御される。検査装置が画像処理システムを含んでいる場合には、リード周波数は画像処理を開始させる機能を果たす。
【００４６】
動画を撮影する場合は、リード周波数によって画像周波数があらかじめ決定されるが、静止画像を撮影する場合には、リード周波数によって計数装置が稼動したり、停止したりする。一般的に、検査装置もまた、リード周波数によって、稼動されることが可能であり、この検査装置はストロボスコープなどを含んでいる。
【００４７】
印刷装置として構成された処理ステーションＢ１〜Ｂ８において、印刷処理はリード周波数に基づいて制御される。印刷ローラ５を含む印刷装置において、その動作機構はリード周波数によってあらかじめ決定される。とくに、リード周波数は計数装置を始動させる機能を果たし、各対象物３への印刷ローラ５の接触圧力と模様とが計数信号に基づいて制御される。
【００４８】
非接触作動印刷装置の場合には、インクジェット印刷ヘッド６はリード周波数に基づいて制御される。リード周波数は、インクジェット印刷ヘッド６のインクジェット飛沫、いわゆるドット周波数の出力周波数に適合させやすい。
【００４９】
一方、リード周波数はドット周波数に正確に一致するように選択されてもよい。
【００５０】
また、リード周波数はドット周波数よりも高い周波数に選択されてもよく、このリード周波数はドット周波数の、たとえば、２Ｎ（Ｎは１，２・・・）倍だけ高い。したがって、とくに、種々のインクジェット印刷ヘッド６を用いた印刷処理によるオフセット値はより適した方法で調整されてもよい。リード周波数が２Ｎ倍だけ高いリード周波数を選択した上記具体例の場合には、異なる２つのインクジェット印刷ヘッド６を用いた異なる二色のオフセット印刷を行う際に、ドット、すなわち、インクジェット飛沫について、１／２Ｎの解像度に調整することができる。
【００５１】
図３は、図１に示した装置１を制御するための構成要素の異なる構成例を示すものである。この構成要素は、図２に示された構成例と、ほぼ類似した構造と機能とを有している。
【００５２】
図３に示された構成例において、セントラルコントローラ７は第一の接続手段８を介して評価装置１５に接続され、この評価装置はコンピュータユニット９に対応する構造を含んでいる。
【００５３】
図２に示された構成例と同様に、駆動手段およびインクリメンタルエンコーダ１３は、第２の接続手段１０ａ，１０ｂを介して評価装置１５に接続されている。さらに図２に示された構成例に対応して、評価装置１５は、回転式循環装置２上に配置されていてもよく、または、固定配置されていてもよい。したがって、第一の接続手段８または第二の接続手段１０ａ，１０ｂのいずれか一方は非接触作動データリンクによって構成されており、他方の接続手段はそれぞれケーブルによって形成されていてもよい。
【００５４】
対象物３を回転させるための駆動手段は、評価装置１５を経由した各インクリメンタルエンコーダ１３の信号に基づいて、始動される。駆動手段を稼動させるための位相制御ループは評価装置１５内に組み込まれているのが好ましい。
【００５５】
さらに、インクリメンタルエンコーダ１３の信号は、継続して評価装置１５で検知され、それに蓄積される。インクリメンタルエンコーダ１３の循環的で決定的な読み取りが、各位相値だけでなく、位相値の検知時間までもが評価装置１５で一連のデータとして検知され、それに一連のデータとして蓄積されるように、行われる。
【００５６】
この一連のデータに基づいて、各処理ステーションＢ１〜Ｂ８に対する固別のクロックパルスがセントラルコントローラ７で発生する。まず、クロックパルスがセントラルコントローラ７で検知され、対象物３のうちの１つが各処理ステーションＢ１〜Ｂ８に配置されて、処理が開始される。次に、一連のデータに基づいて、インクリメンタルエンコーダ１３に対するクロックパルスが発生する。この一連のデータはこの対象物３に関連しており、このクロックパルスはこのインクリメンタルエンコーダ１３の信号に追従する。したがって、処理ステーションＢ１〜Ｂ８は、各対象物３の回転に同調して稼動される。一連のデータは、インクリメンタルエンコーダ１３の位相値およびこの位相値の検知時間を含んでいるので、それらの変遷が完全に検知され、とくに、信号のゆらぎもまた検知され、考慮されてもよい。
【００５７】
各処理ステーションＢ１〜Ｂ８に対する信号に基づいて発生した固別のクロックパルスは、処理工程が対象物３の回転と正確に同調して稼働していることを確実にする。
【００５８】
本実施態様においては、周波数発生器１６は各処理ステーションＢ１〜Ｂ８の前に配置されており、この周波数発生器は接続リード線１７を介してセントラルコントローラ７に接続されている。周波数発生器１６の出力信号は、さらにリード線１８を通してセントラルコントローラ７に、再度、読み込まれる。
【００５９】
処理ステーションＢ１〜Ｂ８に対して発生したクロックパルスは、セントラルコントローラ７で発生した制御命令に基づいて、各周波数発生器１６で発生した一連の計数パルスから成っている。周波数発生器１６は、図２に示された構成例の計数パルスを利用して、連続して配置された処理ステーションＢ１〜Ｂ８における処理工程を交互に制御する。
【００６０】
再度、読み込まれた周波数発生器１６の出力信号は、セントラルコントローラ７の循環時間の変動、または、周波数発生器１６で発生した出力信号による基本要素誘発変動によって、引き起こされる可能性がある誤差をも修正する際に、このましく使用される。
【００６１】
再度、読み込まれた各周波数発生器１６の出力信号は、セントラルコントローラ７における所定の定値値と比較される、制御ループに対する瞬間値を構成する。周波数発生器１６で発生した計数パルスの間隔は、セントラルコントローラ７の循環時間よりもきわめて短い。
【図面の簡単な説明】
【００６２】
【図１】図１は、対象物の表面を処理するための装置の一実施態様を示す概略図である。
【図２】図２は、図１に示した装置の制御手段を表す第一実施態様の構成要素を示す構成図である。
【図３】図３は、図２に示した装置の制御手段を表す第二実施態様の構成要素を示す構成図である。
【符号の説明】
【００６３】
（１）    装置
（２）    回転式循環装置
（３）    対象物
（４）    支持体
（５）    印刷ローラ
（６）    インクジェット印刷ヘッド
（７）    コントローラ
（８）    第一の接続手段
（９）    コンピュータユニット
（１０ａ，１０ｂ）  第二の接続手段
（１１）  増幅器
（１２）  モータ
（１３）  インクリメンタルエンコーダ
（１４）  第三の接続手段
（１５）  評価装置
（１６）  周波数発生器
（１７）  接続リード線
（１８）  リード線
【図１】
2005531428.tif 000003
【図２】
2005531428.tif 000004
【図３】
2005531428.tif 000005
【国際調査報告】
2005531428.tif 000006
2005531428.tif 000007
2005531428.tif 000008
2005531428.tif 000009
2005531428.tif 000010
2005531428.tif 000011